(57)【要約】【課題】電源コードに引張力または押圧力が加わったときに、その引張力または押圧力が電源コードと口金との接続部へ伝達されることを確実に防止する。【解決手段】略Ｓ字状の第１の把持部１１及び第２の把持部１２を連結部１３，１４により一体的に連結する。また、第２の把持部１２の外面に係止突起１６を一体形成する。そして、第１の把持部１１の２つの凹部１１ａ，１１ｂ及び第２の把持部１２の２つの凹部１２ａ，１２ｂのうち、対角方向に位置して対をなす第１の把持部１１の凹部１１ａ及び第２の把持部１２の凹部１２ａ（第１の把持凹部）、または、第１の把持部１１の凹部１１ｂ及び第２の把持部１２の凹部１２ｂ（第２の把持凹部）により電源コードを屈曲状に把持して長手方向への相対移動不能とする。【選択図】図１
0003129173.tif 000002
【実用新案登録請求の範囲】
【請求項１】
筒状の筺体内に挿通されて、当該筺体の一端に取付けた口金に一端部を電気的に接続する電源コードのストッパであって、
電源コードを屈曲状に把持して長手方向への相対移動不能とする把持部と、
前記把持部に一体的に設けられ、当該把持部を筺体内に挿入または収容したときに、前記筺体に設けた凹部状または凸部状の係合部に係止されて、前記把持部を前記筺体の一端から離間する方向及び前記筺体の一端に向かう方向への移動不能とする係止部とを備えることを特徴とする電源コードのストッパ。
【請求項２】
筒状の筺体内に挿通されて、当該筺体の一端に取付けた口金に一端部を電気的に接続する電源コードのストッパであって、
略Ｓ字状または略Ｚ字状をなし、湾曲状または屈曲状をなす２つの凹部を反対方向に開口するよう互い違いに配置した第１の把持部と、
前記第１の把持部と略同一形状の略Ｓ字状または略Ｚ字状をなし、湾曲状または屈曲状をなす２つの凹部を反対方向に開口するよう互い違いに配置した第２の把持部と、
前記第１の把持部及び第２の把持部を、互いに略完全に重なるよう離間して対向配置した状態で一体的に連結する連結部と、
前記第１の把持部または第２の把持部の外面に一体形成された係止突起とを備え、
前記第１の把持部の２つの凹部及び第２の把持部の２つの凹部のうち、対角方向に位置して対をなす第１の把持部の凹部及び第２の把持部の凹部により電源コードを屈曲状に把持して長手方向への相対移動不能とすると共に、
前記第１の把持部及び第２の把持部を前記筺体内に収容したときに、前記係止突起を前記筺体内部に設けた凹部状の係合部に係止して、前記第１の把持部及び第２の把持部を前記筐体の一端から離間する方向及び前記筺体の一端に向かう方向への移動不能とすることを特徴とする電源コードのストッパ。
【請求項３】
前記連結部を、前記第１の把持部及び第２の把持部の幅方向両側の外面をそれぞれ連結すべく対をなすように設けて、前記第１の把持部及び第２の把持部とそれらを連結する一対の連結部との間に前記電源コードを挿通する挿通孔を形成し、
前記係止突起を、前記第１把持部及び第２の把持部のうち、前記筺体への挿入時に奥側となる把持部の長手方向一側の外面に形成し、
前記電源コードを前記第１の把持部及び前記第２の把持部の対をなす凹部により把持した状態で前記筺体へ挿入したときに、前記連結部を、前記筺体の内周面に沿って長手方向に延びるよう一体形成したリブに沿って案内し、前記係止突起を前記筺体の係合部に自動的に嵌合して係止するようにしたことを特徴とする請求項２記載の電源コードのストッパ。
【請求項４】
前記第１の把持部の２つの凹部及び第２の把持部の２つの凹部のうち、対角方向に位置して対をなす第１の把持部の凹部及び第２の把持部の凹部の一方の対の各凹部を、大径の電源コードの外径に対応する内径として当該大径の電源コードを密接状態で屈曲状に把持して長手方向への相対移動不能とする一方、
前記第１の把持部の２つの凹部及び第２の把持部の２つの凹部のうち、対角方向に位置して対をなす第１の把持部の凹部及び第２の把持部の凹部の他方の対の各凹部を、前記台形の電源コードより小径の電源コードの外径に対応する内径として当該小径の電源コードを密接状態で屈曲状に把持して長手方向への相対移動不能としたことを特徴とする請求項２または３記載の電源コードのストッパ。
【請求項５】
キャップを一端に取付ける筒状の筺体から前記キャップ内に挿通されて、当該キャップの一端に取付けた口金に一端部を電気的に接続する電源コードのストッパであって、
１つ以上の凹部を同一方向に開口するよう幅方向一側に形成した板状またはブロック状をなす把持部と、
前記把持部の長手方向一端に一体形成され、前記キャップの他端の内部に設けた段差部に係止自在な係止突起と、前記キャップの他端の外周縁に係止自在な係止凹部とからなる係止部とを備え、
前記把持部の凹部により電源コードを屈曲状に把持して長手方向への相対移動不能とすると共に、
前記把持部を前記筺体内に収容したときに、前記係止突起を前記キャップの段差部に係止すると共に、前記係止凹部を前記キャップの他端の外周縁に係止して、前記把持部を前記キャップの一端から離間する方向及び前記キャップの一端に向かう方向への移動不能とすることを特徴とする電源コードのストッパ。
【考案の詳細な説明】
【技術分野】
【０００１】
本考案は、電気ランプの筺体内に挿通されて筺体から外部に引き出される電源コード（電源電線）のストッパに関し、特に、ローソク型ランプ等のランプソケット内の電源コードに取付けられて当該電源コードと口金との接続部に引張力または押圧力が加わることを防止する電源コード用ストッパに関する。
【背景技術】
【０００２】
従来、大内行灯、住吉提灯等の提灯類の光源には、従来のローソクに代えて、ローソク型ランプ（ローソク電球）が広く使用されている。この種の技術として、例えば、特許文献１に記載の技術がある。
【特許文献１】実開平２−１０２号公報
【０００３】
特許文献１には、その実用新案登録請求の範囲並びに図１及び図４に示すように、ローソク型ランプが開示されている。このローソク型ランプは、蝋燭電球を取付けるソケット部（口金）を筒状の電球支持部の上部に設け、電球支持部の下側の四角箱状の収容部の下方へ電源コードを引き出している。
【０００４】
一般に、特許文献１に記載のようなローソク型ランプは、ローソク形状をした中空のランプソケット（正式にはランプレセプタクルと呼ばれる）内に電源コードを挿通している。電源コードの一端の裸線は、ランプソケットの上端に固定した口金に半田付け等により電気的に接続される。また、電源コードの他端は、ランプソケットの下端または下部側方に設けた開口から引き出され、電源プラグに電気的に接続される。
【考案の開示】
【考案が解決しようとする課題】
【０００５】
ここで、近年、提灯類であっても電気を利用する電気ランプには、電気用品安全法による規制が適用される。具体的には、電気用品の技術上の基準を定める省令の別表第八の「１  共通の事項」の「（２）構造」の「ヲ」に規定のように、電源電線等は、「器体の外方に向かつて器体の自重の値の３倍の値（器体の自重の値の３倍の値が１０ｋｇを超えるものにあつては１００Ｎ、器体の自重の値の３倍の値が３ｋｇ未満のものにあつては３０Ｎの値）の張力を連続して１５秒間加えたとき及び器体の内部に向かつて電源電線等の器体側から５ｃｍの箇所を保持して押し込んだとき、電源電線等と内部端子との接続部に張力が加わらず、かつ、ブッシングが外れるおそれのないこと。」とされている。よって、提灯類であっても電気を利用する電気ランプの電源コードは、引張力または押圧力が加わったときに、その引張力または押圧力が電源コードと内部端子としての口金との接続部へ伝達されないような構造を付加する必要がある。
【０００６】
そこで、本考案は、電源コードに引張力または押圧力が加わったときに、その引張力または押圧力が電源コードと口金との接続部へ伝達されることを確実に防止することができる電気ランプの電源コード用ストッパの提供を課題とする。
【課題を解決するための手段】
【０００７】
請求項１に係る電源コードのストッパは、（テーパー付円筒状、円筒状等の）筒状の筺体内に挿通されて、当該筺体の一端に取付けた口金に一端部を電気的に接続する電源コードのストッパである。電源コードのストッパは、把持部と係止部とを備える。把持部は、電源コードを屈曲状（例えば、長手方向へのクランク状や略Ｚ字状等）に把持して長手方向への相対移動不能とする。係止部は、前記把持部に一体的に設けられ、当該把持部を筺体内に挿入または収容したときに、前記筺体に設けた凹部状または凸部状の係合部に係止される。これにより、係止部は、前記把持部を前記筺体の一端から離間する方向（即ち、電源コードに対する引張方向）及び前記筺体の一端に向かう方向（即ち、電源コードに対する押入れ方向乃至押圧方向）への移動不能とする。把持部としては、例えば、請求項２または４に係る電気ランプのストッパで使用する第１及び第２の把持部や、請求項６に係る電気ランプのストッパで使用する第１及び第２の把持部等がある。また、係止部としては、例えば、請求項２または３に係る電気ランプのストッパで使用する係止突起や、請求項６に係る電気ランプのストッパで使用する係止部等がある。
【０００８】
請求項２に係る電源コードのストッパは、（テーパー付円筒状等の）筒状の筺体内に挿通されて、当該筺体の一端に取付けた口金に一端部を電気的に接続する電源コードのストッパである。電源コードのストッパは、第１の把持部、第２の把持部、連結部及び係止突起を備える。第１の把持部は、略Ｓ字状または略Ｚ字状をなし、湾曲状または屈曲状をなす２つの凹部を反対方向に開口するよう互い違いに配置している。第２の把持部は、前記第１の把持部と略同一形状の略Ｓ字状または略Ｚ字状をなし、湾曲状または屈曲状をなす２つの凹部を反対方向に開口するよう互い違いに配置している。連結部は、前記第１の把持部及び第２の把持部を、互いに略完全に重なるよう離間して対向配置した状態で一体的に連結する。連結部は、第１及び第２の把持部の幅方向（例えば、Ｓ字またはＺ字の左右方向）両側にそれぞれ設けて２つとすることが好ましいが、第１及び第２の把持部間の連結強度を確保できれば、いずれか片側に１つのみ設けてもよい。係止突起は、前記第１の把持部または第２の把持部の外面（少なくともいずれかの一つの把持部の凹部の外周面の一部）に一体形成される。係止突起は、例えば、第１及び第２の把持部の長手方向（例えば、Ｓ字またはＺ字の上下方向）の一側の外面に形成される。そして、請求項２に係る電源コードのストッパは、前記第１の把持部の２つの凹部及び第２の把持部の２つの凹部のうち、対角方向に位置して対をなす第１の把持部の凹部及び第２の把持部の凹部により電源コードを屈曲状に把持して長手方向への相対移動不能とする。このとき、いずれの対の把持用の凹部を使用して電源コードを屈曲状に把持してもよい。また、請求項２に係る電源コードのストッパは、前記第１の把持部及び第２の把持部を前記筺体内に収容したときに、前記係止突起を前記筺体内部に設けた凹部状の係合部に係止して、前記第１の把持部及び第２の把持部を前記筐体の一端から離間する方向及び前記筺体の一端に向かう方向への移動不能とする。
【０００９】
請求項３に係る電源コードのストッパは、請求項２の構成において、前記連結部を、前記第１の把持部及び第２の把持部の幅方向両側（例えば、Ｓ字またはＺ字の左右方向両側）の外面をそれぞれ連結すべく対をなすように設けて、前記第１の把持部及び第２の把持部とそれらを連結する一対の連結部との間に前記電源コードを挿通する挿通孔を形成している。また、前記係止突起を、前記第１把持部及び第２の把持部のうち、前記筺体への挿入時に奥側となる把持部の長手方向一側（例えば、Ｓ字またはＺ字の上下方向の一側）の外面に形成している。更に、前記電源コードを前記第１の把持部及び前記第２の把持部の対をなす凹部により把持した状態で前記筺体へ挿入したときに、前記連結部を、前記筺体の内周面に沿って長手方向に延びるよう一体形成したリブに沿って案内し、前記係止突起を前記筺体の係合部に自動的に嵌合して係止するようにしている。なお、係止突起は、例えば、ストッパを上下に立設する筺体に挿入したときに下側となる把持部（例えば、第２の把持部）の外面に設けられる。
【００１０】
請求項４に係る電源コードのストッパは、請求項２または３の構成において、前記第１の把持部の２つの凹部及び第２の把持部の２つの凹部のうち、対角方向に位置して対をなす第１の把持部の凹部及び第２の把持部の凹部の一方の対（即ち、第１の対の把持用の凹部）の各凹部を、大径の電源コード（例えば、ビニル被覆上に綿被覆を施した綿被覆コード）の外径に対応する内径として当該大径の電源コードを密接状態で屈曲状に把持して長手方向への相対移動不能とする。一方、ストッパは、前記第１の把持部の２つの凹部及び第２の把持部の２つの凹部のうち、対角方向に位置して対をなす第１の把持部の凹部及び第２の把持部の凹部の他方の対（即ち、第２の対の把持用の凹部）の各凹部を、前記台形の電源コードより小径の電源コード（例えば、ビニル被覆コード）の外径に対応する内径として当該小径の電源コードを密接状態で屈曲状に把持して長手方向への相対移動不能としている。このため、例えば、前記片方の対の凹部の一側面に厚肉部を設けて当該凹部の内径を小さくする。
【００１１】
請求項５に係る電源コードのストッパは、キャップを一端に取付ける（円筒状等の）筒状の筺体から前記キャップ内に挿通されて、当該キャップの一端に取付けた口金に一端部を電気的に接続する電源コードのストッパである。電源コードのストッパは、把持部及び係止部を備える。把持部は、１つ以上の凹部を同一方向に開口するよう幅方向一側に形成した板状またはブロック状をなす。係止部は、前記把持部の長手方向一端に一体形成され、前記キャップの他端の内部に設けた段差部に係止自在な係止突起と、前記キャップの他端の外周縁に係止自在な係止凹部とからなる。電源コードのストッパは、前記把持部の凹部により電源コードを屈曲状に把持して長手方向への相対移動不能とすると共に、前記把持部を前記筺体内に収容したときに、前記係止突起を前記キャップの段差部に係止すると共に、前記係止凹部を前記キャップの他端の外周縁に係止して、前記把持部を前記キャップ（及び筐体）の一端から離間する方向及び前記キャップ（及び筺体）の一端に向かう方向への移動不能とする。
【００１２】
なお、本考案は、請求項２乃至４のいずれか１項記載の電源コードのストッパを使用する前記筺体としてのランプソケットであって、前記一端から他端に向かって縮径するテーパー状の略円筒状をなし、前記電源コードのストッパの係止突起を係合する係合孔を周壁に形成した収容部を備えることを特徴とするランプソケットとして把握することもできる。更に、この場合、前記係止突起を筺体の係合部に案内する案内部を設けてもよい。
【考案の効果】
【００１３】
本考案に係る電源コードのストッパは、電源コードに引張力または押圧力が加わったときに、その引張力または押圧力が電源コードと口金との接続部へ伝達されることを確実に防止することができる。
【考案を実施するための最良の形態】
【００１４】
以下、本考案を実施するための最良の形態（以下、「実施の形態」という。）を説明する。なお、各実施の形態を通じ、同一の部材、要素または部分には同一の符号を付して、その説明を省略する。
【００１５】
実施の形態１
以下、本考案の実施の形態１に係る電源コードのストッパ１０について、図１〜図６を参照して説明する。図１〜図６に示すように、ストッパ１０は、図３に示すようなテーパー状のろうそく型ランプのランプソケット２０，３０に電源コード４２を挿通する際に使用されるものである。なお、図１及び図２等は、説明の便宜上、実際の寸法より拡大した寸法でストッパ１０を表示している。詳細には、図１及び図２に示すように、実施の形態１に係る電源コードのストッパ１０は、第１の把持部１１、第２の把持部１２、連結部１３，１４及び係止突起１６を備える。第１の把持部１１は、断面または平面を略Ｓ字状とした複合湾曲板状をなし、湾曲状（略Ｕ字状または略半円状）をなす２つの凹部１１ａ，１１ｂを反対方向に開口するよう互い違いに配置している。第２の把持部１２も第１の把持部１１と同様の構成である。即ち、第２の把持部１２は、第１の把持部１１と略同一形状の略Ｓ字状の複合湾曲板状をなし、湾曲状（略Ｕ字状または略半円状）をなす２つの凹部１２ａ，１２ｂを反対方向に開口するよう互い違いに配置している。実施の形態１では、２つの連結部１３，１４が、第１の把持部１１及び第２の把持部１２を、互いに完全に重なるよう離間して対向配置した状態で一体的に連結する。詳細には、一方の連結部１３は、第１及び第２の把持部１１，１２の幅方向（Ｓ字の左右方向）の右側で、第１及び第２の把持部１１，１２の奥側の凹部１１ａ，１２ｂの外面中央（円周方向中央部の外面）を掛け渡して連結するよう、第１及び第２の把持部１１，１２の外面に内面を一体的に接合している。また、他方の連結部１４は、第１及び第２の把持部１１，１２の幅方向の左側で、第１及び第２の把持部１１，１２の奥側の凹部１１ａ，１２ｂの外面中央を掛け渡して連結するよう、第１及び第２の把持部１１，１２の外面に内面を一体的に接合している。このように、左右一対の連結部が上下一対となる第１及び第２の把持部１１，１２を互いに完全に重なるよう所定距離で離間して対向配置した状態で一体的に連結している。特に図２の（ａ），（ｂ），（ｅ），（ｆ）に示すように、一方の連結部１３は、その下端が通常の使用状態で下側に位置する第２の把持部１２の下側縁近傍に位置し、その上端は通常の使用状態で上側に位置する第１の把持部１１の下側縁近傍に位置する。一方、他方の連結部１４は、その下端が第２の把持部１２の上側縁近傍に位置し、その上端は第１の把持部１１の上側縁近傍に位置する。連結部１３及び連結部１４は、同一長さ（高さ寸法）を有する一方で、上下方向位置を若干ずらして配置されている。また、上記のように、実施の形態１のストッパ１０は、上下で対をなす第１及び第２の把持部１１，１２の幅両側（Ｓ字の左右両側）の外面をそれぞれ連結すべく、一対の連結部１３，１４を対をなすように設けている。そして、第１の把持部１１及び第２の把持部１２の対向側縁と、それらを連結する一対の連結部１３，１４の対向側縁との間に、第１及び第２の把持部１１，１２の長手方向中央部を幅方向に貫通する断面略矩形状の挿通孔１５を形成し、当該挿通孔１５に電源コード４１を挿通するようになっている。更に、前記係止突起１６は、第２の把持部１２の前側の凹部１２ａの外面（連結部１４より前側に配置される略矩形板状の部分の外面）の中央に前方へ直交して突出するよう一体形成される。即ち、係止突起１６は、第２の把持部１２の長手方向の前側（Ｓ字の上下方向の下側）となる凹部１２ａの外面に一体形成される。なお、上記構成のストッパ１０は、ＡＢＳ樹脂等の所定の合成樹脂等により全体が一体成形され、第１及び第２の把持部１１，１２は、そのＳ字形状により、長手方向に弾性変形して寸法変化自在である。
【００１６】
次に、実施の形態１に係るストッパ１０は、図３に示すようなランプソケット２０，３０を備えるろうそく型ランプの電源コードのストッパとして使用される。詳細には、図３に示すように、ろうそく型ランプは長寸タイプと短寸タイプとがあり、これに合わせて、図３の（ａ）に示す長寸タイプのランプソケット２０、または、図３の（ｂ）に示す短寸タイプのランプソケット３０が使用される。ランプソケット２０は、図３（ａ）及び図４に示すように、一端（上端）を円形の開口２１ａとした略円筒状の長寸の収容部２１と、収容部２１の他端（下端）から同軸状に下方へ延びるねじ部２２とを一体形成したものである。収容部２１は、上端から下端に向かって縮径するテーパー付略円筒状をなしている。また、ねじ部２２は、外周面に雄螺子を形成した略円筒状をなしている。そして、図５に示すように、収容部２１の上端の開口２１ａから収容部２１内を経てねじ部２２の内部に電源コード４２を挿通し、電源コード５２の下端側（電源プラグ側）をねじ部２２の下端の円形の開口から下方に引き出せるようになっている。また、収容部２１の内周面には、上端から略中央部にわたって直線突条をなすリブ２３が一体形成されている。なお、図６に示すように、合計４個のリブ２３が、収容部２１の円周方向に一定間隔（９０度の等間隔）をおいて形成されている。なお、ランプソケット２０は、下端部の周壁に円形の側方引出孔２４を穿設し、側方から電源コード４２の下端側を側方に引き出すようにしてもよい。なお、短寸タイプのランプソケット３０は、その長さが長寸タイプのランプソケット２０より短かい点を除き、基本的な構成はランプソケット２０と同様である。即ち、ランプソケット３０は、上端を円形の開口とした短寸のテーパー付略円筒状をなす収容部３１と、収容部３１と連通する中空円筒状のねじ部３２とを備え、電源コード４２を収容部３１の上端開口からねじ部の下端開口へと挿通して引き出すようになっている。また、収容部３１の内周面には、収容部２１の場合と同様に、直線突条の４個のリブ３３が、円周方向に一定角度間隔で一体形成されている。リブ３３は、収容部３１の中央部より更に下方に延びるよう形成されている。なお、ランプソケット３０も、下端部の周壁に円形の側方引出孔３４を穿設し、側方から電源コード４２の下端側を側方に引き出すようにしてもよい。
【００１７】
一方、実施の形態１では、ランプソケット２０，３０の収容部２１，３１の周壁には、前記ストッパ１０の係止突起１６を嵌合（略密嵌）して係合するための係合孔２５，３５が穿設されている。ランプソケット２０，３０の係合孔２５は、収容部２１，３１のリブ２３，３３の下端付近で、隣接するリブ２２，３３の間の中央位置に形成されている。なお、ランプソケット２０，３０の係合孔２５，３５は、収容部２１，３１の内径（内周面の直径）が、ストッパ１０の外径である第１及び第２の把持部１１，１２の長手方向寸法（Ｓ字の上下両端間の寸法）より若干（例えば、コンマ数ミリまたは１ｍｍ程度）小径となるような、収容部２１，３１の長手方向（高さ方向）位置に設けられる。かかる係合孔２５，３５の位置は、通常のランプソケット２０，３０では、リブ２３，３３の下端近傍の位置に設定する。即ち、ストッパ１０の外径は、ランプソケット２０，３０の収容部２１，３１のリブ２３，３３の下端近傍位置の内径と同一または若干大径（例えば、コンマ数ミリまたは１ｍｍ程度）となるよう、その寸法が設定される。なお、ランプソケット２０は長寸であるため、係合孔２５は収容部２１の上下中央付近に位置し、前記側方引出孔２４と相当離間して配置されているが、ランプソケット３０は短寸であるため、係合孔３５は収容部３１の上下中央と下端との中間付近に位置し、前記側方引出孔３４と相当接近して配置されている。
【００１８】
ここで、電源コード４２には、ビニル被覆のみを施したもの（ビニル被覆コード）と、ビニル被覆の上に更に綿被覆を施したもの（綿被覆コード）があり、綿被覆コードの方がビニル被覆コードよりも厚み及び幅が大きくなっている。よって、前記ストッパ１０の第１及び第２の凹部１１，１２の凹部１１ａ，１２ａ（第１の把持凹部）及び凹部１１ｂ，１２ｂ（第２の把持凹部）の内径（湾曲部両側の内面間の距離）は、より厚肉となる綿被覆コードの厚みと略同一に設定されている。また、前記ストッパ１０の連結部１３，１４は、ランプソケット２０，３０の収容部２１，３１のリブ２３，３３に対応する位置に形成されている。詳細には、図６に示すように、ストッパ１０を収容部２１，３１の上端開口２１ａから内部に挿入すると（図６では収容部２１の場合のみ図示しているが、収容部３１の場合も同様）、ストッパ１０の連結部１３，１４が、収容部２１，３１のリブ２３，３３のうち放射方向に対向する（即ち、１８０度の角度間隔となる）対となるリブ２３，３３の反対側面に当接して位置決めされ、ストッパ１０の収容部２１，３１の奥側（下端側）への移動を案内する。このとき、第１及び第２の把持部１１，１２の両端縁（Ｓ字の末端）も、連結部１３，１４が当接するリブ２３，３３以外の対のリブ２３，３３の反対側面に当接させて位置決めし、ストッパ１０の収容部２１，３１の奥側（下端側）への移動を案内するようにしてもよい（別例）。なお、連結部１３，１４（並びに、前記別例の場合は、第１及び第２の把持部１１，１２）のリブ２３，３３への当接開始位置は、収容部２１，３１の内径及びテーパー角度並びにリブ２２，２３の突出高さと、ストッパ１０の連結部１３，１４の外側面間の寸法（並びに、前記別例の場合は、第１及び第２の把持部１１，１２の長手方向寸法）とに依存する。例えば、上記リブ２２，２３による位置決め及び案内の点からは、上記当接開始位置がリブ２３，３３の上端により近い位置となるよう、連結部１３，１４の外側面間の寸法（並びに、前記別例の場合は、第１及び第２の把持部１１，１２の長手方向寸法）を、収容部２１，３１の内径及びテーパー角度並びにリブ２２，２３の突出高さに対して設定することが好ましい。しかし、この場合、第１及び第２の把持部１１，１２の長手方向寸法が、前記収容部２１，３１の係合孔２５，３５の位置の内径寸法と同一となるよう第１及び第２の把持部１１，１２が弾性変形して寸法を縮小する必要があり、この点から第１及び第２の把持部１１，１２の弾性を設定することが好ましい。通常、上記当接開始位置がリブ２３，３３の上下中央付近となるよう、連結部１３，１４の外側面間の寸法（並びに、前記別例の場合は、第１及び第２の把持部１１，１２の長手方向寸法）を、収容部２１，３１の内径及びテーパー角度並びにリブ２２，２３の突出高さに対して設定する。一方、係止突起１６は、上記のように、第１の把持部１１及び第２の把持部１２のうち、収容部２１，３１への挿入時に奥側となる第２の把持部１２の長手方向一側の外面に形成されている。そして、実施の形態１のストッパ１０は、第１の把持部１１及び第２の把持部１２を収容部２１，３１内に収容したときに、図６に示すように、係止突起１６を収容部２１，３１内部に設けた凹部状の係合部としての係合孔２５，３５に係止して、第１の把持部１１及び第２の把持部１２を収容部２１，３１の一端（上端）から離間する方向及び収容部２１，３１の一端に向かう方向への移動不能とする。即ち、実施の形態１では、係止突起１６が、ストッパ１０を筺体としての収容部２１，３１に係止して上下への移動不能とする係止部を構成する。
【００１９】
使用方法並びに作用及び効果
次に、実施の形態１のストッパ１０を利用して電源コード４２をランプソケット２０，３０内に係止して移動規制する方法（ストッパ１０の使用方法）、並びに、ストッパ１０の作用及び効果について以下に説明する。まず、口金４１に電源コード４２を接続する前に、図４に示すように、電源コード４２をランプソケット２０，３０のねじ部２２，３２の下端の開口から内部に挿通して、電源コード４２の上端側のある程度の長さ部分を収容部２１，３１の上端の開口２０ａから上方に引き出し、ストッパ１０を電源コード４２の所定位置に（口金４１から所定距離離れた位置）に取り付ける。このとき、ストッパ１０の第１及び第２の把持部１１，１２を上下に配置し、挿通孔１５の一方側（連結部１３側）から電源コード４２の上端の裸線部を挿通し、電源コードの裸線部を口金４１に半田付け等により電気的に接続する。次に、第１の把持部１１の２つの凹部１１ａ，１１ｂ及び第２の把持部１２の２つの凹部１２ａ，１２ｂのうち、一方の対角方向に位置して対をなす第１の把持部の後側の凹部１１ａ及び第２の把持部１２の前側の凹部１２ａ、及び、他方の対角方向に位置して対をなす第１の把持部の後側の凹部１１ｂ及び第２の把持部１２の前側の凹部１２ｂのいずれかの対に、それぞれ、電源コード４２の一部（挿通孔１５の上下両側直近に位置する部分）を押し込んで、当該一部を屈曲状（クランク状）に把持し、電源コード４２をストッパ１０に対して長手方向への相対移動不能とする。即ち、実施の形態１のストッパ１０では、第１及び第２の把持部１１，１２の凹部１１ａ，１２ａの対からなる第１の把持凹部と、第１及び第２の把持部１１，１２の凹部１１ｂ，１２ｂの対からなる第１の把持凹部とのいずれかを使用して電源コード４２を屈曲状に把持して相対移動不能とすることができる。その後、ストッパ１０を取付けたまま、図５に示すように、電源コード４２をランプソケット２０，３０の収容部２１，３１内に挿入していく。このとき、上記のように、連結部１３，１４が、リブ２３，３３により位置決めされてその長手方向に移動案内される。これに伴い、第１及び第２の把持部１１，１２の凹部１１ａ，１２ａ側の外面と係止突起１６とが、収容部２１，３１の内周面の略１８０度反対側の位置を摺接し、ストッパ１０の全体が収容部２１，３１の内周面に沿って移動案内される。なお、図５では、説明の便宜上、リブ２３，３３は図示を省略している。そして、第１及び第２の把持部１１，１２が、収容部２１，３１を下方に移動するにしたがって、そのテーパーに沿って弾性変形して寸法（Ｓ字の高さ）を縮小し、係止突起１６が収容部２１，３１の係合孔２５，３５の位置に来たときに、第１及び第２の把持部１１，１２が弾性復帰して、図５中の二点鎖線及び図６に示すように、係止突起１６が収容部２１，３１の係合孔２５，３５に嵌合して係止される。このように、係止突起１６は、ストッパ１０の下方への移動により、収容部２１，３１の係合孔２５，３５に自動的に嵌合して係止するようになっている。また、係止突起１６が係合孔２５，３５に係合すると、第１及び第２の把持部１１，１２の弾性押圧力により、第１及び第２の把持部１１，１２の長手方向両外面が収容部２１，３１の内周面に押圧されるため、ストッパ１０が収容部２１，３１内で位置ずれすることがない。無論、ストッパ１０の寸法誤差等の寸法の相違によっては、第１及び第２の把持部１１，１２の長手方向両外面が収容部２１，３１の内周面に殆ど押圧されず単に略密接状態となる場合も想定されるが、この場合も、係止突起１６が係合孔２５，３５に嵌合するため、ストッパ１０は収容部２１，３１内で位置ずれすることがない。これにより、ストッパ１０が、収容部２１，３１に対して上下方向への移動不能となり、ストッパ１０に対して長手方向への相対移動不能とされた電源コード４２も、ストッパ１０により移動規制されて、収容部２１，３１内で上下方向への移動不能となる。その後、口金４１を収容部２１，３１の上端の開口２０ａに装着し、口金４１に電球を取付けて、ろうそく型ランプが完成する。その結果、電源コード４２のランプソケット２０，３０から下方に露出する部分に引張力または押圧力が加わったときでも、その引張力または押圧力が電源コード４２と口金４１との接続部へ伝達されることをストッパ１０が確実に防止することができる。
【００２０】
実施の形態２
実施の形態１のストッパ１０は、上記のように、電源コード４２を把持する第１の把持凹部１１ａ，１２ａ及び第２の把持凹部１１ｂ，１２ｂのいずれの内径も綿被覆コードの厚みに合わせて設定されている。よって、綿被覆コードより若干薄肉となるビニル被覆コードの場合、第１の把持凹部１１ａ，１２ａまたは第２の把持凹部１１ｂ，１２ｂにより把持したときに、その厚さ方向両側面と凹部１１ａ，１２ａ，１１ｂ，１２ｂの両内側面との間に若干の隙間が生じる。この場合でも、第１の把持凹部１１ａ，１２ａまたは第２の把持凹部１１ｂ，１２ｂがビニル被覆コードを屈曲把持するため、通常の張力または押圧力の範囲ではビニル被覆コードが相対移動することはない。しかし、実施の形態２に係る電源コードのストッパ１１０は、この点を更に改善し、ビニル被覆コードの把持時の摩擦力をより大きくして確実に把持できるよう、一方の把持凹部の内径を小さく設定している。詳細には、図７及び図８に示すように、ストッパ１１０は、実施の形態１のストッパ１０と同様の基本構成であり、略Ｓ字状をなす上下対の第１及び第２の把持部１１１，１１２を左右一対の連結部１３，１４により一体的に連結している。一方、第１の把持凹部を構成する第１の把持部１１１の一方の凹部１１１ａと第２の把持部１１２ａの一方の凹部１１２ａのそれぞれの内面（Ｓ字の中央部側となる内側の内面）には、厚肉部１１１ｃが内側に（対向する外側の内面に向けて）膨出するよう一体形成されている。このように、実施の形態２のストッパ１１０は、第１の把持部１１１の２つの凹部１１１ａ，１１１ｂ及び第２の把持部１１２の２つの凹部１１２ａ，１１２ｂのうち、対角方向に位置して対をなす第１の把持部１１１の凹部１１１ａ及び第２の把持部１１２の凹部１１２ａの対（第１の把持凹部）の各凹部１１１ａ，１１２ａを、薄肉となるビニル被覆コードの厚みに対応するよう略同一の内径（厚肉部１１１ｃ，１１２ｃの内面と凹部１１１ａ，１１２ａの外側の内面との間の距離）として、当該薄肉のビニル被覆コードを密接状態で屈曲状に把持して長手方向への相対移動不能とするようにしている。一方、ストッパ１１０は、他方の対角方向の対（第２の把持凹部）を構成する第１及び第２の把持部１１１，１１２の凹部１１１ｂ，１１２ｂの対を、厚肉の綿被覆コードの厚みに対応するよう略同一の内径（凹部１１１ｂ，１１２ｂの内側の内面と外側の内面との間の距離）として当該厚肉の綿被覆コードを密接状態で屈曲状に把持して長手方向への相対移動不能とするようにしている。このように、実施の形態２のストッパ１１０は、単一の構成で、第１の把持凹部１１１ａ，１１２ａまたは第２の把持凹部１１１ｂ，１１２ｂのいずれかを選択的に使用することで、厚肉の綿被覆コードと薄肉のビニル被覆コードの両者を確実に屈曲把持して、その位置ずれを一層確実に防止することができ、また、その成形も簡単である。
【００２１】
ランプソケットの別例
図９に示すランプソケット１３０は、実施の形態１または２で使用する短寸のランプソケット３０を更に改良したものであり、上記収容部３０と同様の構成の収容部１３０に、上記リブ３３と同様の構成のリブ１３３を設けている。一方、ランプソケット１３０は、各リブ１１３の下端に、案内部１３６を一体形成している。案内部１３６は、その内側面を、収容部１３０の係合孔３５に向かって傾斜する案内面１３６ａとしている。これにより、４つのリブ１３３のいずれの隣接する対においても、その下端の案内部１３６の隣接する案内面１３６が、縮径するテーパー状の案内溝を形成し、ストッパ１０，１１０の係止突起１６を収容部１３０の係合孔３５へと一層確実に案内することができる。
【００２２】
実施の形態３
以下、本考案の実施の形態３に係る電源コードのストッパ２１０について、図１０〜図１２を参照して説明する。なお、図１１は、説明の便宜上、実際の寸法より拡大した寸法でストッパ２１０を表示している。ストッパ２１０は、図１２に示すように、直管状のろうそく型ランプのランプソケットに電源コード４２を挿通する際に使用されるものである。まず、このランプソケットについて説明すると、ランプソケットは、直管円筒状の収容部２２１の上端開口２２１ａに、キャップ２２５を密嵌して装着するものである。キャップ２２５は、大径短円筒状の大径部２２６、中径円筒状の中径部２２７及び小径短円筒状の小径部２２８を同軸状に一体形成した、上下に段差部を有する略段付円筒状をなす。なお、小径部２２８の円形の下端縁は係合部を構成し、小径部２２８の上端と中径部２２７の下端との間には段差部２２９が形成されている。詳細には、図１０及び図１１に示すように、実施の形態３に係る電源コードのストッパ２１０は、略矩形平板状をなす把持部２１１を備えている。把持部２１１の幅方向一側（左側縁）には、２つの凹部２１２，２１３が上下に間隔をおいて穿設されている。両凹部２１２，２１３は、横長のスロット状乃至長孔状をなし、把持部２１１の右側縁の近傍から同一方向（左方）に延び、把持部２１１の左側縁で開口している。また、把持部２１１の長手方向一端（上端）の中央には、キャップ２２５の他端（下端）の内部に設けた段差部２２９に係止自在な係止部としての係止突起２１４が一体形成されている。係止突起２１４は、把持部２１１の前方へと略直交して屈曲する略逆Ｌ字状の断面を有する屈曲板状をなす。また、把持部２１１の上端の左右両側（係止突起２１４の左右両側）には、キャップ２２５の下端の外周縁である小径部２２８の下端縁２２８ａに係止自在な略半円状の係止凹部２１５，２１６がそれぞれ穿設されている。実施の形態３では、前記係止突起２１４及び係止凹部２１５，２１６により、ストッパ２１０を筺体としての収容部２２１にキャップ２２５を介して係止して上下方向への移動不能とする係止部が構成される。また、把持部２１１の凹部２１２，２１３により、電源コード４２を屈曲状（略コ字状）に把持して長手方向への相対移動不能とする把持凹部が構成されている。更に、キャップ２２５の下端縁２２８ａ及び段差部２２９により、係止部としての係止突起２１４及び係止凹部２１５，２１６を係止する係合部が構成される。
【００２３】
使用方法並びに作用及び効果
次に、実施の形態３のストッパ２１０を利用して電源コード４２をランプソケット２１０，２１５内に係止して移動規制する方法（ストッパ２１０の使用方法）、並びに、ストッパ２１０の作用及び効果について以下に説明する。実施の形態３のストッパ２１０は、まず、電源コード２４２の上端側を収容部２２１からキャップ２２５へと下方から挿通してキャップ２２５の上端開口から上方に引き出し、口金２４１に電源コード２４２の上端部を電気的に接続する。その後、図１２に示すように、電源コードのキャップ２２５から下方に露出する部分（キャップ２２５と収容部２２１との間の露出部分）をストッパ２１０の把持部２１１の両凹部２１２，２１３に押し込んで略コ字状となるよう屈曲し、両凹部（把持凹部）２１２，２１３により電源コード２４２を屈曲状に把持する。これにより、電源コード２４２がストッパ２１０に対して長手方向への相対移動不能となる。そして、この状態で、ストッパ２１０の係止突起２１４をキャップ２２５の小径部２２８から内部に挿入して段差部２２９に引掛けて係止する。このとき、係止突起２１４の両側の係止凹部２１５，２１６がキャップ２２５の下端縁２２８ａに当接して係止される。これにより、ストッパ２１０は、キャップ２２５の段差部２２９に引掛け係止される係止突起２１４によりキャップの一端乃至上端（口金２４１側）から離間する方向（引張方向）への移動を阻止されると共に、キャップ２２５の下端縁２２８ａに当接係止される係止凹部２１５，２１６によりキャップの一端乃至上端（口金２４１側）へ向かう方向（押圧方向）への移動を阻止される。その後、ストッパ２１０を収容部２１１の上端開口から内部に収容し、キャップ２２５を収容部２１１の上端開口に密嵌して取付ける。これにより、ストッパ２１０が、収容部２２１及びキャップ２２５に対して上下方向への移動不能となり、ストッパ２１０に対して長手方向への相対移動不能とされた電源コード２４２も、ストッパ２１０により移動規制されて、収容部２２１及びキャップ２２５内で上下方向への移動不能となる。その後、口金２４１をキャップ２２５の上端の開口に装着し、口金２４１に電球を取付けて、ろうそく型ランプが完成する。その結果、電源コード２４２のランプソケット２２１，２２５から下方に露出する部分に引張力または押圧力が加わったときでも、その引張力または押圧力が電源コード２４２と口金２４１との接続部へ伝達されることをストッパ２１０が確実に防止することができる。
【００２４】
ところで、実施の形態１または２のストッパの把持部は、Ｓ字状とする以外にも、Ｚ字状等、電源コードを把持自在な形状の凹部を互い違い（反対方向）に開口するよう配置するものとすることができる。例えば、把持部をＺ字状とした場合、各把持部は、断面または平面を略Ｚ字状とした複合屈曲板状をなし、屈曲状をなす２つの凹部を反対方向に開口するよう互い違いに配置することになる。また、把持部を断面コ字状のものを互い違いに配置して構成した場合、一対の連結部は、各断面コ字状の第１の把持部及び第２の把持部の幅方向両側（Ｚ字の左右方向両側）の外面をそれぞれ連結すべく対をなすように設けて、前記第１の把持部及び第２の把持部とそれらを連結する一対の連結部との間に前記電源コードを挿通する挿通孔を形成することになる。更に、実施の形態１または２のストッパは、一方の連結部を省略し、電源コードをストッパの側方（連結部を省略した側の開口）から前記挿通孔に収容して、ストッパを電源コードに着脱自在に取付けるようにしてもよい。また、実施の形態１及び２では、一方の連結部１３及び他方の連結部１４は、同一長さ（高さ寸法）を有する一方で、上下方向位置を若干ずらして配置されているが、無論、連結部１３，１４の上下両端を、共に、第１及び第２の把持部１１，１２の上下両側縁の中央位置に配置したり、或いは、第１及び第２の把持部１１，１２の上下両側縁の近傍位置に配置したりして、上下方向位置を同一としてもよい。また、連結部は、第１及び第２の把持部の幅方向（例えば、Ｓ字またはＺ字の左右方向）両側にそれぞれ設けて２つとすることが好ましいが、第１及び第２の把持部間の連結強度を確保できれば、いずれか片側に１つのみ設けてもよい。更に、係止突起１６は、第１の把持部１１または第２の把持部１２のうち、少なくともいずれか一つの把持部１１，１２の凹部１１ａ，１１ｂ，１２ａ，１２ｂの外面の一部に一体形成すればよく、例えば、第２の把持部１２の両外面にそれぞれ形成してもよい。或いは、係止突起は、第１の把持部の外面の一方または双方に形成することも可能である。即ち、係止突起１６は、第１の把持部１１及び第２の把持部１２のうち、前記筺体への挿入時に奥側（筺体立設時の下端側）となる側の把持部（上記の場合は第２の把持部１２）の長手方向一側（例えば、Ｓ字またはＺ字の上下方向の一側）の外面に形成することが好ましいが、いずれかの把持部の長手方向両側の外面に形成してもよく、或いは、いずれかの把持部の長手方向一側の外面にのみ形成してもよい。また、実施の形態２のように単一の構成で綿被覆コード及びビニル被覆コードに対応する以外にも、綿被覆コード用のストッパ（大きい内径の把持凹部を有するストッパ）と、ビニル被覆コード用のストッパ（小さい内径の把持凹部を有するストッパ）との両方のストッパを用意してもよい。或いは、単一の構成で綿被覆コード及びビニル被覆コードに対応する場合、Ｓ字の一方の凹部の湾曲率を小さくする等して、当該凹部の内径を他方の凹部の内径より小さくしてもよい。更に、実施の形態３に係る電源コードのストッパ２１０の把持部は、１つ以上の凹部を同一方向に開口するよう幅方向一側に形成した板状またはブロック状をなすよう構成する限りにおいて、上記構成に限定されない。このように、本考案のストッパは、請求の範囲に記載の範囲内において、適宜変更して実施することができる。
【図面の簡単な説明】
【００２５】
【図１】図１は本考案の実施の形態１に係る電源コードのストッパを示す斜視図である。
【図２】図２は本考案の実施の形態１に係る電源コードのストッパを六面から視て示し、（ａ）はその正面図、（ｂ）はその背面図、（ｃ）はその平面図、（ｄ）はその底面図、（ｅ）はその右側面図、（ｆ）はその左側面図である。
【図３】図３は本考案の実施の形態１に係る電源コードのストッパを適用するランプソケットの具体例を示し、(ａ)は長寸タイプのランプソケットの正面図、（ｂ）は短寸タイプのランプソケットの正面図である。
【図４】図４は本考案の実施の形態１に係る電源コードのストッパを電源コードに取付けてランプソケットの収容部内に挿入して収容する直前の状態を示す斜視図である。
【図５】図５は本考案の実施の形態１に係る電源コードのストッパを電源コードに取付けてランプソケットの収容部内の途中まで挿入して収容した状態を示す縦断面図である。
【図６】図６は本考案の実施の形態１に係る電源コードのストッパをランプソケットの収容部内の係合位置まで挿入して収容し、係止突起をランプソケットの係合孔に係合した状態を示す横断面図である。
【図７】図７は本考案の実施の形態２に係る電源コードのストッパを示す斜視図である。
【図８】図８は本考案の実施の形態２に係る電源コードのストッパを六面から視て示し、（ａ）はその正面図、（ｂ）はその背面図、（ｃ）はその平面図、（ｄ）はその底面図、（ｅ）はその右側面図、（ｆ）はその左側面図である。
【図９】図９は本考案の実施の形態１または２に係る電源コードのストッパを適用するランプソケットの別例の要部を示す縦断面図である。
【図１０】図１０は本考案の実施の形態３に係る電源コードのストッパを示す斜視図である。
【図１１】図１１は本考案の実施の形態３に係る電源コードのストッパを六面から視て示し、（ａ）はその正面図、（ｂ）はその背面図、（ｃ）はその平面図、（ｄ）はその底面図、（ｅ）はその右側面図、（ｆ）はその左側面図である。
【図１２】図１２は本考案の実施の形態３に係る電源コードのストッパを電源コードに取付けてランプソケットのキャップに係合した状態を示す縦断面図である。
【符号の説明】
【００２６】
１０，１１０，２１０：電源コードのストッパ、
１１，１１１：第１の把持部、１２，１１２：第２の把持部
１１ａ，１２ａ，１１１ａ，１１２ａ：凹部（把持凹部）
１１ｂ，１２ｂ，１１１ｂ，１１２ｂ：凹部（把持凹部）
１３，１４：第１及び第２の連結部（連結部）、１６：係止突起
２１１：把持部、２１２，２１３：凹部（把持凹部）
２１４：係止突起（係止部）、２１５，２１６：係止凹部（係止部）
２２８ａ：下端縁（係合部）、２２９：段差部（係合部）
２１，３１，１３１，２２１：収容部（筺体）、２２５：キャップ
４１，２４１：口金、４２，２４２：電源コード
【図１】
0003129173.tif 000003
【図２】
0003129173.tif 000004
【図３】
0003129173.tif 000005
【図４】
0003129173.tif 000006
【図５】
0003129173.tif 000007
【図６】
0003129173.tif 000008
【図７】
0003129173.tif 000009
【図８】
0003129173.tif 000010
【図９】
0003129173.tif 000011
【図１０】
0003129173.tif 000012
【図１１】
0003129173.tif 000013
【図１２】
0003129173.tif 000014